(57)【特許請求の範囲】
【請求項１】
撮影モード時に撮影した画像を記録メディアに記録し、再生モード時に前記記録メディアに記録された画像を表示手段に表示する画像表示機能を有する電子カメラにおいて、
図面が所定の大きさの小図面に分割され、各小図面がそれぞれ画像ファイルとして関連付けて記録された前記記録メディアと、
図面表示モードを選択する手段と、
再生モード時に前記表示手段に表示される再生画像を選択し又はスクロールさせる操作手段であって、前記図面表示モードが選択されると、前記表示手段に表示される図面をスクロールさせるスクロール指令を出力する操作手段と、
前記図面表示モードが選択されると、前記図面中の所望の表示エリアに対応する複数の小図面の画像ファイルを前記記録メディアからそれぞれ読み出して１枚の図面を作成する図面作成手段であって、前記操作手段からスクロール指令を受入すると、そのスクロール指令に応じて現在表示されている図面に隣接する小図面が記録されている画像ファイルを前記記録メディアから読み出し、該読み出した画像ファイルの小図面によって前記１枚の図面を構成する小図面の一部を更新して図面を作成する図面構成手段と、
前記図面作成手段によって作成された１枚の図面を表示する前記表示手段と、
を備えたことを特徴とする電子カメラ。
【請求項２】
撮影モード時に撮影した画像を記録メディアに記録し、再生モード時に前記記録メディアに記録された画像を表示手段に表示する画像表示機能を有する電子カメラにおいて、
広い範囲の図面を構成する複数の図面がそれぞれ画像ファイルとして関連付けて記録された前記記録メディアと、
図面表示モードを選択する手段と、
撮影倍率又は再生倍率を変更する指令を出力する第１の操作手段と、
再生画像を選択し又はスクロールさせる第２の操作手段と、
前記図面表示モードが選択されると、前記複数の図面中の所望の図面が記録されている画像ファイルを前記記録メディアから読み出して前記表示手段に表示させる図面再生手段であって、前記第１の操作手段での操作に基づいて前記図面を拡大／縮小再生させ、前記図面の拡大時に前記第２の操作手段からスクロール指令を受入すると、そのスクロール指令に応じて現在表示されている図面をスクロールさせ、現在表示されている図面の画像ファイルを越えるスクロール指令を受入すると、現在表示されている図面に隣接する図面が記録されている画像ファイルを前記記録メディアから読み出し、該読み出した画像ファイルの図面を前記表示手段に表示させる図面再生手段と、
を備えたことを特徴とする電子カメラ。
【請求項３】
前記第１の操作手段はズームキーであり、前記第２の操作手段はカーソルキー又は＋／−キーである請求項２の電子カメラ。
【発明の詳細な説明】
【０００１】
【発明の属する技術分野】
本発明は図面の表示方法、表示装置及び電子カメラに係り、特に地図などの図面を良好に閲覧することができる図面の表示方法、表示装置及び電子カメラに関する。
【０００２】
【従来の技術】
従来、地図や設計図などの図面の全体図を表示装置に表示し、その全体図の一部を拡大表示する場合には、カーソルキーによって表示画面上のカーソルを所望の位置に移動させ、エリア切替えファンクションキーを操作して拡大表示するようにしたデジタルカメラ搭載ハンディコンピュータが提案されている（特公平８−２３８７０号公報）。
【０００３】
また、上記デジタルカメラ搭載ハンディコンピュータはＧＰＳアダプタを装着できるようになっており、このＧＰＳアダプタによって測位される現在位置に基づいて広域地図から詳細地図を抽出し、詳細地図を自動表示する機能を有している。
一方、一般に地図表示機能を有する装置では、逐一地図をスクロールさせる機能を有しているが、簡易なビューアで地図を表示する装置では、表示する地図データを切り換えて表示する機能しか所有していない。
【０００４】
【発明が解決しようとする課題】
ところで、パソコンのようにマウスやカーソルキーをユーザーインターフェースとして持ったり、カーナビゲーション装置のように専用のリモコンボタンを有するものは、地図や設計図などの図面の拡大／縮小、スクロール、所望の表示エリアの選択等の閲覧操作は、ユーザーに混乱を与えずにスムーズに行うことができるが、表示機能付き電子カメラによって図面を表示させる場合、カメラ操作キーとは別途設けなければならず、操作キーが増加するとともに操作が煩雑になるという問題がある。
【０００５】
また、図１０（Ａ）及び（Ｂ）に示すように地図の一部が重複する複数の地図を記録メディアに格納し、スクロール指令により前記記録メディアから適宜の地図を読み出して地図を切替え表示し、これにより簡易なスクロールを行うものがあるが、地図の一部が重複して記録されているため、記録容量が無駄になり、また、各地図の境界部分をジグザグに移動する場合には、地図の切替えが頻繁に発生して見づらいという問題がある。
【０００６】
本発明の目的は、スクロールにより表示画面を隣接した図面に切り替えたときに前に表示していた図面との繋がりが分かりやすく、かつ図面切り替わりの回数を減少させることができ、また記録容量を無駄にすることのない図面の表示方法及び表示装置を提供することにある。
本発明の他の目的は、図面の拡大／縮小、スクロール、所望の表示エリアの選択等の閲覧操作時に、電子カメラの既存の操作手段を使用することができ、かつ閲覧操作の混乱を招くこともない電子カメラを提供することにある。
【０００８】
【課題を解決するための手段】
前記目的を達成するために、本願請求項１に係る発明は、撮影モード時に撮影した画像を記録メディアに記録し、再生モード時に前記記録メディアに記録された画像を表示手段に表示する画像表示機能を有する電子カメラにおいて、図面が所定の大きさの小図面に分割され、各小図面がそれぞれ画像ファイルとして関連付けて記録された前記記録メディアと、図面表示モードを選択する手段と、再生モード時に前記表示手段に表示される再生画像を選択し又はスクロールさせる操作手段であって、前記図面表示モードが選択されると、前記表示手段に表示される図面をスクロールさせるスクロール指令を出力する操作手段と、前記図面表示モードが選択されると、前記図面中の所望の表示エリアに対応する複数の小図面の画像ファイルを前記記録メディアからそれぞれ読み出して１枚の図面を作成する図面作成手段であって、前記操作手段からスクロール指令を受入すると、そのスクロール指令に応じて現在表示されている図面に隣接する小図面が記録されている画像ファイルを前記記録メディアから読み出し、該読み出した画像ファイルの小図面によって前記１枚の図面を構成する小図面の一部を更新して図面を作成する図面構成手段と、前記図面作成手段によって作成された１枚の図面を表示する前記表示手段と、を備えたことを特徴としている。
【０００９】
上記のようにして記録メディアに記録された小図面は、互いに重複する部分がないため、記録容量を無駄に使用することがなく、また、スクロール時に小図面単位で前の図面の一部を更新して図面を切り替えるため、前の図面との繋がりが分かりやすい。
【００１０】
本願請求項２に係る発明は、撮影モード時に撮影した画像を記録メディアに記録し、再生モード時に前記記録メディアに記録された画像を表示手段に表示する画像表示機能を有する電子カメラにおいて、広い範囲の図面を構成する複数の図面がそれぞれ画像ファイルとして関連付けて記録された前記記録メディアと、図面表示モードを選択する手段と、撮影倍率又は再生倍率を変更する指令を出力する第１の操作手段と、再生画像を選択し又はスクロールさせる第２の操作手段と、前記図面表示モードが選択されると、前記複数の図面中の所望の図面が記録されている画像ファイルを前記記録メディアから読み出して前記表示手段に表示させる図面再生手段であって、前記第１の操作手段での操作に基づいて前記図面を拡大／縮小再生させ、前記図面の拡大時に前記第２の操作手段からスクロール指令を受入すると、そのスクロール指令に応じて現在表示されている図面をスクロールさせ、現在表示されている図面の画像ファイルを越えるスクロール指令を受入すると、現在表示されている図面に隣接する図面が記録されている画像ファイルを前記記録メディアから読み出し、該読み出した画像ファイルの図面を前記表示手段に表示させる図面再生手段と、を備えたことを特徴としている。また、本願請求項３に示すように前記第１の操作手段はズームキーであり、前記第２の操作手段はカーソルキー又は＋／−キーである。
【００１１】
即ち、電子カメラでの撮影／再生操作時には、撮影倍率又は再生倍率を変更するためのズームキーや、再生画像を選択し又はスクロールさせるカーソルキー又は＋／−キーを操作するのが一般的である。一方、地図などの図面を閲覧する場合には、図面の拡大／縮小、図面のスクロール等が必要であるが、前記撮影倍率又は再生倍率の変更と図面の拡大／縮小の動作は類似しており、また、再生画像の選択等と図面のスクロール等の動作も類似する。従って、電子カメラの既存の操作手段を、図面の拡大／縮小、スクロール等の操作に併用することにより、ユーザーが直感的に図面の閲覧操作をすることが可能になる。
【００１２】
【発明の実施の形態】
以下添付図面に従って本発明に係る図面の表示方法、表示装置及び電子カメラの好ましい実施の形態について詳説する。
図１は本発明に係る電子カメラの背面図であり、図２はこの電子カメラの内部ブロック図である。
【００１３】
この電子カメラは、図２に示すように撮影レンズ（ズームレンズ）１０、固体撮像素子（ＣＣＤ）１２、画像処理回路１４、画像メモリ（ＤＲＡＭ）１６、液晶モニタ２０、画像圧縮伸長回路２２、メモリカード２４、システムコントローラ２６、メモリコントローラ２８、操作キー部３０等から構成されている。
図１に示すように液晶モニタ２０は電子カメラの背面に配設されている。また、操作キー部３０は、シャッタボタン３１、ズームキー３２、十字カーソルキー３３、モード切替ボタン３４、セットボタン３５等を有し、これらのキー等は図１に示すようにカメラ背面等に配置されている。尚、図１上で、３６は光学ファインダである。
【００１４】
この電子カメラは、撮影モード、再生モード、図面表示モード等の各種のモードを有しており、前記モード切替ボタン３４及びセットボタン３５によって適宜のモードを設定できるようになっている。システムコントローラ２６は、操作キー部３０からの信号入力に基づいてカメラの各回路を統括制御する。
ここで、電子カメラが撮影モードに設定されている場合には、ズームレンズ１０を介してＣＣＤ１２の受光面に入射した被写体光は、ＣＣＤ１２の各センサに入射する光量に応じた量の信号電荷に変換され、この信号電荷は、クロックパルスに基づいて信号電荷に応じた電圧信号（画像信号）として順次読み出される。
尚、ズームキー３２が操作されると、システムコントローラ２６及びズーム駆動部１１を介してズームレンズ１０が駆動され、撮影倍率が変更される。
【００１５】
さて、ＣＣＤ１２から出力された画像信号は、画像処理回路１４に加えられる。画像処理回路１４は、ホワイトバランス調整、ガンマ補正、ＹＣ変換（Ｒ、Ｇ、Ｂ信号の輝度信号Ｙ及びクロマ信号Ｃへの変換）等の画像処理を行い、このＹＣ信号を画像メモリ１６に格納する。画像メモリ１６に格納されたＹＣ信号は、ＬＣＤドライバ１８に出力され、ここでＲ、Ｇ、Ｂ信号及び液晶表示に必要な駆動パルスが生成されて液晶モニタ２０に加えれる。これにより、液晶モニタ２０に画像が表示される。
【００１６】
そして、ＣＣＤ１２での撮像から液晶モニタ２０への表示までの処理をビデオレートで繰り返し実行することにより液晶モニタ２０に動画を表示することができ、ユーザーは液晶モニタ２０の表示画面を見ながら構図等を決定することができる。
構図の決定後、シャッタボタン３１をＯＮにすると、シャッタ速度等が制御され、上述したように１コマ分のＹＣ信号が画像メモリ１６に格納される。そして、画像メモリ１６に格納されたＹＣ信号は、画像圧縮伸長回路２２によって所定の形式に圧縮され、その圧縮された画像データは電子カメラに着脱自在なメモリカード２４に記録される。
【００１７】
一方、電子カメラが再生モードに設定されると、メモリカード２４に記録された最終コマの画像データが読み出され、その画像データは画像圧縮伸長回路２２によって伸長されて画像メモリ１６に格納される。この画像メモリ１６に格納された画像データ（ＹＣ信号）は、繰り返し読み出されてＬＣＤドライバ１８を介して液晶モニタ２０に出力される。これにより、液晶モニタ２０には静止画が表示される。
【００１８】
ここで、十字カーソルキー３３の左側を押すと、液晶モニタ２０に再生される画像は逆方向にコマ送りされ、右側を押すと、液晶モニタ２０に再生される画像は順方向にコマ送りされる。
また、再生モード時には、上記のような１コマ再生と、複数コマを同時に表示するマルチ再生とを所定のキー操作によって選択することができるようになっている。このマルチ再生時には、図３に示すようにマルチ画像（この実施の形態では９コマ）が液晶モニタ２０に表示されるとともに、コマ選択を示すカーソル（四角の枠）２１が表示される。このカーソル２１は、十字カーソルキー３３の上側、下側、左側又は右側を押すことにより、カーソル２１を上下左右に移動させることができる。
【００１９】
このようにしてカーソル２１を移動させてコマ選択を行った後、１コマ再生に切り替えると、コマ選択されたコマ画像のみが液晶モニタ２０の画面全体に表示される。
尚、このマルチ画像はコマ番号順に配列されており、十字カーソルキー３３の右側又は左側を押すと、マルチ画像中からコマ番号順に順方向又は逆方向にコマ画像を選択すべくカーソル２１が移動する。一方、十字カーソルキー３３の上側又は下側を押すと、３コマ前又は３コマ後のコマ画像を選択すべくカーソル２１が移動する。そして、現在表示中のマルチ画像内でカーソル２１が移動できない場合（コマ画像が選択できない場合）には、次画面又は前画面のマルチ画像が再生される。
【００２０】
次に、本発明に係る図面の表示方法の第１の実施の形態について説明する。
まず、電子カメラを図面表示モードに設定する。ここで、メモリカード２４には予め１枚又はエリア毎に複数枚に分割された地図を示す地図データが、この電子カメラで読出し可能なフォーマットで記録されている。また、この地図データは、後述するようにユーザーが指示した場所の地図の表示が可能なように位置情報を有し、あるいは分割された図面同士が関連付けられて記録されている。
【００２１】
電子カメラは上記図面表示モードが設定されると、前記メモリカード２４から地図データを読み出し、該地図データに基づいて地図を液晶モニタ２０に表示させる。この場合、まず広域が視認できる地図（縮小地図）を表示させる（図４（Ｄ）参照）。また、この縮小地図には、その一部を拡大表示する際に拡大されるエリアが、図４（Ｄ）の破線で示すカーソル２３によって表示されている。
【００２２】
ここで、ズームキー３２を図４上で上方向にスライド操作すると、カーソル２３によって示されたエリアが拡大表示される（図４（Ｃ）参照）。また、図４（Ｃ）に示す拡大表示状態において、ズームキー３２を図４上で下方向にスライド操作すると、同図（Ｄ）に示すように縮小表示される。
ところで、撮影モード時に上記ズームキー３２を、図４上で上方向にスライド操作すると、図４（Ａ）に示すように撮影倍率がアップし、ズーム撮影が可能となり、ズームアップ時に下方向にスライド操作すると、図４（Ｂ）に示すようにズーム撮影が解除されて通常の撮影倍率にズームダウンされる。即ち、ズームキー３２は、撮影モード時に撮影倍率を変更する際に操作されるものであるが、図面表示モード時には液晶モニタ２０に表示する地図のエリア拡大／縮小用に利用される。また、このズームキー３２は、再生モード時に画像を電子ズームする際にも使用することができる。
【００２３】
一方、図面表示モード時において、上記のようにして地図が拡大表示されている場合に、十字カーソルキー３３を操作する（十字カーソルキー３３の上側、下側、左側又は右側を押す）と、図５に示すように地図を上下左右にスクロールさせることができる。また、表示する地図が記録された画像ファイルを越えてスクロールするような操作が行われた場合には、別の地図画像をメモリカード２４から読み出して再生表示する。
【００２４】
この十字カーソルキー３３は、図３等で説明したように再生モード時に１コマ再生する所望のコマを選択するために使用されるが、図面表示モード時には液晶モニタ２０に表示された地図を上下左右にスクロールさせるために使用される。
尚、図４（Ｄ）に示すように地図の縮小表示状態において、十字カーソルキー３３を操作して液晶モニタ２０の画面上でカーソル２３を任意の位置に移動させ、その後、ズームキー３２のズーム操作によりカーソル２３の移動位置に対応するエリアを拡大表示するようにしてもよい。また、広域地図から詳細地図までの拡大する段数はこの実施の形態に限らない。
【００２５】
また、上記第１の実施の形態では、コマ選択やコマ送りと、地図のスクロールとを十字カーソルキー３３によって行うようにしたが、これに限らず、矢印キー、＋／−キーなどのキーを適用することもできる。更に、ズームレンズ１０の代わりに単焦点の撮影レンズを使用した電子カメラでもよく、この場合には、撮影画像又は再生画像を電子ズームできる電子カメラとする。
【００２６】
次に、本発明に係る図面の表示方法の第２の実施の形態について説明する。
図６に示すように、まず電子カメラを地図表示モードに設定する（ステップＳ１０）。続いて、液晶モニタ２０に表示する地図の画像データをメモリカード２４から収集する（ステップＳ１２）。ここで、メモリカード２４には、予め地図全体が所定のエリア（小地図）に分割され、各小地図の画像データがそれぞれ関連付けられ、かつ電子カメラで読出し可能なフォーマットで記録されている。
【００２７】
即ち、図７に示すように所定の小地図に分割された各小地図の画像データは、互いにその位置関係がファイル名で関連付けて記録されている。
また、この実施の形態では、互いに隣接する４つの小地図を用いて表示する１枚の表示用の地図を作成するため、前記ステップＳ１２では、適宜指示された位置に基づいてメモリカード２４から４つの小地図の画像データを収集する（図８（Ａ）参照）。
【００２８】
次に、ステップＳ１２で収集した４つの小地図の画像データに基づいて、図８（Ｂ）に示すように１枚の表示用の地図の画像データを生成する（ステップＳ１４）。このようにして生成した１枚の地図の画像データに基づいて液晶モニタ２０に地図を表示させる（ステップＳ１６）。
続いて、現在表示している地図をスクロールさせる指示入力があったか否かを判別する（ステップＳ１８）。尚、スクロールの指示入力は、前述した十字カーソルキー３３によって行われる。
【００２９】
そして、スクロールの指示入力がない場合には、地図表示モードが維持されているか否かを判別し（ステップＳ２０）、地図表示モードが維持されている場合には、ステップＳ１８に戻る。これによりスクロールの指示入力待ちとなる。
一方、スクロールの指示入力がある場合には、ステップＳ１２に戻り、小地図の画像データを再度メモリカード２４から収集し、これによりスクロールした新たな地図を表示させる。
【００３０】
例えば、液晶モニタ２０に表示されている地図を右方向にスクロールさせる指示入力を受入すると、前記４つの小地図の左側の２つの小地図の画像データを消去するとともに、前記４つの小地図の右側に隣接する２つの小地図の画像データを新たに収集し、これにより４つの小地図の画像データを収集（更新）する。
即ち、図９（Ａ）に示す表示状態において、地図を右方向にスクロールさせる指示入力を受入すると、同図（Ｂ）に示すように左半分はスクロール前の右半分の地図の画像データを使用し、右半分は新たに収集した画像データを使用して１枚の地図の画像データを生成し、この画像データに基づいて地図を表示する。
【００３１】
これにより新たな地図は、１枚の地図の半分だけが新たな地図に更新されるため、スクロール前に表示していた地図との繋がりが分かりやすい。
このようにして液晶モニタ２０に表示している地図を上下左右の任意の方向にスクロールさせることができ、所望の地図を閲覧することができる。
尚、ステップＳ２０において、地図表示モードが解除されると、地図の表示が終了する。
【００３２】
上記第２の実施の形態では、４つの小地図から１枚の地図を作成するようにしたが、９枚、１６枚等から１枚の地図を作成してもよい。また、１枚の地図を作成する枚数を適宜選択できるようにすれば、地図の拡大率を変更することもできる。また、第２の実施の形態では、電子カメラに上記のような簡易的なスクロール機能を設けるようにしたが、これに限らず、他の地図の表示機器に上記スクロール機能を設けるようにしてもよい。更に、第１の実施の形態と第２の実施の形態とを組み合わせてもよい。
【００３３】
また、地図の画像データを格納する記録メディアはメモリカードに限らず、更に、読出し専用の記録メディアでもよい。更にまた、表示する図面は地図に限らず、設計図などの他の図面でもよい。
【００３４】
【発明の効果】
以上説明したように本発明によれば、図面を切り替えてスクロールさせる際に図面の切替え前後の重複部分を大きくすることができるため、前に表示していた図面との繋がりが分かりやすく、かつ図面の切替えの回数を減少させることができ、また記録容量を無駄にすることがないという利点がある。
【００３５】
更に、図面の拡大／縮小、スクロール、所望の表示エリアの選択等の閲覧操作時に、電子カメラの既存の操作キーを使用することができるとともに、操作内容も類似のものを使用することにより、閲覧操作の混乱を招くこともないという利点がある。
【図面の簡単な説明】
【図１】本発明に係る電子カメラの背面図
【図２】図１に示した電子カメラの内部ブロック図
【図３】マルチ画像により所望のコマ画像を選択するときのキー操作を説明するために用いた図
【図４】ズームキーの操作によって画面が切り替わる撮影モード時及び地図表示モード時の表示画面を示す図
【図５】地図をスクロールさせるキー操作を説明するために用いた図
【図６】本発明に係る図面の表示方法の第２の実施の形態を示すフローチャート
【図７】メモリカードに記録された地図の画像データのディレクトリ構造の一例を示す図
【図８】４つの小地図から１枚の地図を生成する様子を示す図
【図９】地図をスクロールさせる場合の画面の切り替わりを説明するために用いた図
【図１０】従来の方法で地図をスクロールさせる場合の画面の切り替わりを説明するために用いた図
【符号の説明】
１０…ズームレンズ
１１…ズーム駆動部
１２…ＣＣＤ
１４…画像処理回路
１８…ＬＣＤドライバ
２０…液晶モニタ
２４…メモリカード
２６…システムコントローラ
３０…操作キー部
３１…シャッタボタン
３２…ズームキー
３３…十字カーソルキー
３４…モード切替ボタン
３５…セットボタン
【図１】
0004562823.tif 000002
【図２】
0004562823.tif 000003
【図３】
0004562823.tif 000004
【図４】
0004562823.tif 000005
【図５】
0004562823.tif 000006
【図６】
0004562823.tif 000007
【図７】
0004562823.tif 000008
【図８】
0004562823.tif 000009
【図９】
0004562823.tif 000010
【図１０】
0004562823.tif 000011